(57)【要約】【課題】  連続紙プリンタにて印刷を行う場合、オペレータパネルからも用紙情報の入力が必要とし、連続紙プリンタにて用紙を変更して使用する場合は、プリンタエンジンでの用紙サイズ設定とオペレータパネルから用紙情報の入力が必要になり、オペレータは設定に手間がかかり、また、オペレータパネルから誤った用紙情報を入力した場合、エラーにならず印刷位置がずれたまま印刷され印刷不良が生じていた。【解決手段】  連続紙用紙の外箱に用紙情報が記録されたバーコードを付加し、連続紙をプリンタにセットしたときに、連続紙用紙外箱のバーコードをプリンタ本体に取り付けたバーコードリーダーで読み取り、読み取った情報を元に用紙情報をプリンタ制御装置に設定する。【選択図】  図３
2007152877.tif 000002
【特許請求の範囲】
【請求項１】
複数の用紙サイズを使用できる連続紙プリンタエンジンと、用紙情報を入力するオペレータパネルと用紙情報を記憶するメモリとハードディスクを備えた連続紙プリンタにおいて、連続紙用紙外箱に用紙情報が記録されたバーコードを付加する手段と、プリンタにバーコードリーダーが取り付けられる手段と、前記バーコードを付加した連続紙用紙外箱をプリンタの用紙ホッパにセットする手段とにより、前記プリンタに取り付けたバーコードリーダーで、前記連続紙用紙外箱のバーコードを読み取り、読み取ったバーコードから自動で用紙情報をプリンタ制御装置に設定する機能及び用紙情報をオペレータパネルに表示する機能を備えたことを特徴とする連続紙プリンタ。
【発明の詳細な説明】
【技術分野】
【０００１】
本発明は、複数の用紙サイズが使用でき、オペレータパネルにより用紙サイズを設定している連続紙プリンタに関するものである。
【背景技術】
【０００２】
従来、連続紙プリンタにおいて用紙情報の設定は、プリンタエンジンにおける用紙取り付け時の用紙搬送系の各部位を用紙寸法に合わせる作業と、プリンタ制御装置にオペレータパネルの用紙情報入力画面から用紙情報を記憶させる作業からなっており、手間がかかっていた。また、プリンタに連続用紙を取り付ける際に、連続用紙取り付け用トラクタおよび用紙サイズ設定ノブから用紙情報を設定する方法もあるが、用紙サイズを検出するセンサの誤差により、正しく用紙情報が設定できないことがあった。
【０００３】
その他の従来技術では、用紙情報をバーコードにして紫外線インク等で実際に印刷する用紙の領域外にマーキングする。印刷装置は、このバーコードを検知する機能を有し、検知した媒体情報に応じて、濃度および解像度を可変に制御するよう構成し、あらかじめ装置内にスイッチを設け設定された条件に基づいて、設定された印刷条件と検知された用紙種類が合致した場合に印刷処理を行っていた（例えば、特許文献１参照。）
あるいは、蓋と本体の切り離しが可能なカット紙の専用箱に、カット紙の用紙情報を印刷したバーコードを取り付けて、バーコードリーダーで読み取り、カット紙の用紙情報を入力していた（例えば、特許文献２参照。）。
【０００４】
あるいは、各給紙トレイにバーコードリーダーを設け、用紙情報が用紙の隅にバーコードで印刷してある用紙をバーコードリーダーにより読み取ることで、１枚単位で用紙情報の認識を行っていた（例えば、特許文献３参照。）。
【０００５】
【特許文献１】特開平９−３００７３号公報
【０００６】
【特許文献２】特開２００１−１３９０７８号公報
【０００７】
【特許文献３】特開２００５−１９６９６３０号公報
【発明の開示】
【発明が解決しようとする課題】
【０００８】
連続紙プリンタにて印刷を行う場合、用紙取り付け時プリンタエンジンの用紙搬送系の各部位を用紙寸法に合うように設定し、さらにプリンタ制御装置に用紙情報を記憶させるため、オペレータパネルからも用紙情報の入力が必要になる。そのため、連続紙プリンタにて用紙を変更して使用する場合は、プリンタエンジンでの用紙サイズ設定とオペレータパネルから用紙情報の入力が必要になり、オペレータは設定に手間がかかっていた。また、オペレータパネルから誤った用紙情報を入力した場合、エラーにならず印刷位置がずれたまま印刷され印刷不良が生じる。
【０００９】
さらに、印刷用紙に直接用紙情報をマーキングした場合、用紙全面に印刷を行うことが不可能になり、給紙トレイまたはカット紙の専用箱に直接バーコードを付加することはカット紙プリンタのみ可能であり、連続紙プリンタには使用できないという問題があった。
【課題を解決するための手段】
【００１０】
連続紙用紙の外箱に用紙情報が記録されたバーコードを付加し、連続紙をプリンタにセットしたときに、連続紙用紙外箱のバーコードをプリンタ本体に取り付けたバーコードリーダーで読み取り、読み取った情報を元に用紙情報をプリンタ制御装置に設定する。
【発明の効果】
【００１１】
本発明によれば、用紙を変更する場合、用紙をプリンタにセットするだけで、オペレータパネルを操作することなく用紙情報をプリンタに設定することが可能になるため、用紙設定作業がプリンタエンジンのみとなり簡素化できる。また、オペレータによる入力ミスがなくなるため、用紙サイズ違いによる印刷不良も解消される。さらに、連続紙用紙の外箱に用紙情報が記録されたバーコードを付加することで、連続紙全面に印刷が可能になり、用紙を収納する専用の箱や給紙トレイも必要としない。
【発明を実施するための最良の形態】
【００１２】
以下、本発明の実施形態を、図面を用いて説明する。
【実施例】
【００１３】
図１は、本発明の実施の形態に係わるプリンタ制御装置１０が組み込まれたプリンタシステムのブロック図である。このプリンタシステムは印刷データを送信する上位側コンピュータ１、印刷データを受信する上位インターフェース制御部２、プリンタ制御装置１０の全体制御及びバーコード情報から用紙情報を判断し、用紙情報をメモリ６に書き込む全体制御部４、ハードディスク８の制御を行うハードディスク制御部７、プリンタエンジン１１の制御を行う印字部５、メモリ６、印刷データの印刷を行うプリンタエンジン１１、表示および用紙情報を入力するオペレータパネル３、バーコードリーダー９、前記２、３、４、５、６、７、８、はプリンタ制御装置１０、前記９，１０、１１はプリンタ１２である。
【００１４】
ここで、バーコードによる用紙情報の入力形態について、図２、図３を用いて説明する。初めに、連続紙用紙外箱１４に、用紙情報を記録した専用のバーコード１７を付加しておく。連続紙１５をプリンタエンジン１１にセットする場合、連続紙１５の入った連続用紙外箱１４をプリンタ１２の用紙ホッパ１８に置く。次に、連続紙用紙取り付け用トラクタ１３を連続紙１５の幅に合わせ、連続紙１５の先端を取り付ける。次に用紙サイズ設定ノブ１６を連続紙１５の用紙幅に合わせ、連続紙１５をセットする。以上によりプリンタエンジン１１において、用紙情報は設定される。
【００１５】
プリンタエンジン１１に連続紙１５を取り付けている間、プリンタ１２に取り付けられたバーコードリーダー９が、用紙情報が記録されているバーコード１７を読み取る。ここで、読み取った用紙情報を全体制御部４にて、オペレータパネル３に表示する。表示された用紙情報が設定した用紙と同一の場合は、確定ボタンを押下することで、全体制御部４は、メモリ６およびハードディスク制御部７を介してハードディスク８に用紙情報を書き込み、連続紙プリンタ制御装置１０に用紙情報は設定される。もし、表示された用紙情報が、セットした連続紙１５と異なっていた場合は、オペレータパネル３にて用紙情報を入力する。
【００１６】
次に、バーコード読み取りのフローについて図４を用いて説明する。プリンタエンジン１１に連続紙用紙外箱１４をセットすると、Ｓ１０１で用紙情報を記録したバーコードが読み取れたかどうかの判断を行う。ここでバーコードが読み取れたと判断されれば、Ｓ１０２でオペレータパネル３に読み取ったバーコードから用紙情報を表示する。次にＳ１０３で、オペレータパネル３に表示された用紙情報がセットした用紙である場合は、オペレータパネルに表示された確定ボタンを押下し、用紙情報が設定される。また、Ｓ１０１にて用紙情報が読み取れなかった場合、Ｓ１０５にてオペレータパネル３にエラー表示を行う。Ｓ１０６でオペレータパネル３により、用紙情報を入力する。１箱目の連続紙１５がなくなり２箱目の連続紙１５を使用する場合は、再度フローを実行することで、用紙情報が設定できる。
【００１７】
この様に本実施形態では、連続紙の用紙情報が自動で設定されるため、オペレータの入力ミスによる印刷結果の不良がなくなる。また、用紙情報を連続紙１５に直接印刷しなくてもすむため、連続紙１５を全面有効に使用できる。さらに、専用の箱や給紙トレイも必要としないため、連続紙プリンタの用紙設定においては有効な手段となる。
【産業上の利用可能性】
【００１８】
オペレータパネルから用紙情報を入力する必要がある機器全てにおいて使用できる。
【図面の簡単な説明】
【００１９】
【図１】本発明におけるプリンタシステムのブロック図である。
【図２】本発明におけるプリンタ本体の斜視図である。
【図３】本発明における用紙箱の斜視図とである。
【図４】本発明におけるバーコード読み取りのフローチャートである。
【符号の説明】
【００２０】
１…上位側コンピュータ、２…上位インターフェース制御部、３…オペレータパネル、４…全体制御部、５…印字部、６…メモリ、７…ハードディスク制御部、８…ハードディスク、９…バーコードリーダー、１０…プリンタ制御装置、１１…プリンタエンジン、１２…プリンタ、１３…連続紙用紙取り付け用トラクタ、１４…連続用紙箱、１５…連続紙、１６…用紙サイズ設定ノブ、１７…バーコード、１８…用紙ホッパ。
【図１】
2007152877.tif 000003
【図２】
2007152877.tif 000004
【図３】
2007152877.tif 000005
【図４】
2007152877.tif 000006